(57)【要約】【課題】広告の効果が高まり利用者にとっても利便性が高まるサービスカーを提供する。【解決手段】サービスカーとしての移動媒体が備えるＣＰＵが実行する処理は、サーバから広告を取得するステップ（Ｓ５０５）と、移動媒体の外部のモニタに広告を表示するステップ（Ｓ５１０）と、移動媒体に設けられる外部情報取得装置（カメラ、マイク、センサ）から出力される各信号の入力を受け付けるステップ（Ｓ５２０）と、移動媒体の周辺を表わす外部情報を取得して、当該情報を保存するステップ（Ｓ５３０）と、移動媒体の走行情報を取得するステップ（Ｓ５４０）と、外部情報と走行情報とに基づいて、広告による効果を推定するステップ（Ｓ５５０）と、予め定められた報酬基準と効果とに基づいて、広告に対する報酬を決定するステップ（Ｓ５６０）と、決定された報酬に基づき、移動媒体の利用料金を算出するステップ（Ｓ５７０）とを含む。【選択図】図５
2020004212.tif 000002
【特許請求の範囲】
【請求項１】
コンピュータで実行される方法であって、
移動媒体の外部に広告を表示するステップと、
前記移動媒体に設けられる外部情報取得装置から出力される信号に基づいて、前記移動媒体の周辺を表わす外部情報を取得するステップと、
前記移動媒体から、当該移動媒体の走行情報を取得するステップと、
前記外部情報と前記走行情報とに基づいて、前記広告による効果を推定するステップと、
予め定められた報酬基準と前記効果とに基づいて、前記広告に対する報酬を決定するステップとを含む、方法。
【請求項２】
前記外部情報取得装置は、前記移動媒体の周辺を撮影して画像信号を出力するカメラ、前記移動媒体の周辺の音声を取得して信号を出力するマイク、および、前記移動媒体の周辺に対する近接状況を検知するための近接センサの少なくともいずれかを含む、請求項１に記載の方法。
【請求項３】
前記外部情報は、前記広告の視認者の数と、当該視認者の属性と、当該視認者による前記広告に対する反応と、前記広告から前記視認者までの距離との少なくともいずれかを含み、
前記走行情報は、前記移動媒体の走行速度と、前記移動媒体の位置情報との少なくともいずれかを含み、
前記推定するステップは、前記外部情報の項目と、前記走行情報の項目と、予め定められた評価基準とに基づいて、前記効果を推定することを含む、請求項１に記載の方法。
【請求項４】
前記広告の効果に応じて、当該移動媒体の利用料金を減額する処理を実行するステップをさらに含む、請求項１に記載の方法。
【請求項５】
前記表示される広告の視聴に基づく視聴情報を受信するステップをさらに含み、
前記推定するステップは、前記外部情報と前記走行情報と前記視聴情報とに基づいて、前記効果を推定するステップを含む、請求項１に記載の方法。
【請求項６】
前記移動媒体のユーザの識別情報と、当該広告によって宣伝された商品またはサービスの利用状況とを保存するステップをさらに含み、
前記決定するステップは、当該移動媒体の利用後における商品またはサービスの利用に応じた報酬を決定するステップを含む、請求項１に記載の方法。
【請求項７】
前記走行情報を取得するステップは、当該移動媒体の移動速度を受信するステップを含み、
前記広告を表示するステップは、前記移動媒体の移動速度に応じて前記広告の表示態様を変更するステップを含む、請求項１に記載の方法。
【請求項８】
前記外部情報を取得するステップは、前記移動媒体の周辺を撮影することにより映像信号を受信するステップを含み、
前記方法は、
前記映像信号を蓄積するステップと、
前記コンピュータに対する要求に基づいて、前記映像信号を提供するステップと、
前記提供された映像信号の利用状況に応じた対価データを、前記移動媒体のユーザに付与するステップとをさらに含む、請求項１に記載の方法。
【請求項９】
前記広告の効果に基づく割引額を計算するステップと、
前記移動媒体の利用料金と前記割引額とに基づいて、前記移動媒体のユーザに対する請求額を計算するステップと、
前記請求額を前記移動媒体において表示するステップとをさらに含む、請求項１に記載の方法。
【請求項１０】
情報を処理するためのプログラムであって、前記プログラムはコンピュータに、
移動媒体の外部に広告を表示するステップと、
前記移動媒体に設けられる外部情報取得装置から出力される信号に基づいて、前記移動媒体の周辺を表わす外部情報を取得するステップと、
前記移動媒体から、当該移動媒体の走行情報を取得するステップと、
前記外部情報と前記走行情報とに基づいて、前記広告による効果を推定するステップと、
予め定められた報酬基準と前記効果とに基づいて、前記広告に対する報酬を決定するステップとを実行させる、プログラム。
【請求項１１】
前記外部情報取得装置は、前記移動媒体の周辺を撮影して画像信号を出力するカメラ、前記移動媒体の周辺の音声を取得して信号を出力するマイク、および、前記移動媒体の周辺に対する近接状況を検知するための近接センサの少なくともいずれかを含む、請求項１０に記載のプログラム。
【請求項１２】
前記外部情報は、前記広告の視認者の数と、当該視認者の属性と、当該視認者による前記広告に対する反応と、前記広告から前記視認者までの距離との少なくともいずれかを含み、
前記走行情報は、前記移動媒体の走行速度と、前記移動媒体の位置情報との少なくともいずれかを含み、
前記推定するステップは、前記外部情報の項目と、前記走行情報の項目と、予め定められた評価基準とに基づいて、前記効果を推定することを含む、請求項１０に記載のプログラム。
【請求項１３】
前記プログラムは前記移動媒体に、前記広告の効果に応じて、当該移動媒体の利用料金を減額する処理を実行するステップをさらに実行させる、請求項１０に記載のプログラム。
【請求項１４】
前記表示される広告の視聴に基づく視聴情報を受信するステップをさらに含み、
前記推定するステップは、前記外部情報と前記走行情報と前記視聴情報とに基づいて、前記効果を推定するステップを含む、請求項１０に記載のプログラム。
【請求項１５】
前記プログラムは前記移動媒体に、前記移動媒体のユーザの識別情報と、当該広告によって宣伝された商品またはサービスの利用状況とを保存するステップをさらに実行させ、
前記決定するステップは、当該移動媒体の利用後における商品またはサービスの利用に応じた報酬を決定するステップを含む、請求項１０に記載のプログラム。
【請求項１６】
前記走行情報を取得するステップは、当該移動媒体の移動速度を受信するステップを含み、
前記広告を表示するステップは、前記移動媒体の移動速度に応じて前記広告の表示態様を変更するステップを含む、請求項１０に記載のプログラム。
【請求項１７】
前記外部情報を取得するステップは、前記移動媒体の周辺を撮影することにより映像信号を受信するステップを含み、
前記プログラムは前記移動媒体に、
前記映像信号を蓄積するステップと、
前記移動媒体に対する要求に基づいて、前記映像信号を提供するステップと、
前記提供された映像信号の利用状況に応じた対価データを、前記移動媒体のユーザに付与するステップとをさらに実行させる、請求項１０に記載のプログラム。
【請求項１８】
前記プログラムは前記移動媒体に、
前記広告の効果に基づく割引額を計算するステップと、
前記移動媒体の利用料金と前記割引額とに基づいて、前記移動媒体のユーザに対する請求額を計算するステップと、
前記請求額を前記移動媒体において表示するステップとをさらに実行させる、請求項１０に記載のプログラム。
【請求項１９】
移動媒体であって、
前記移動媒体の外部に設けられた表示装置と、
前記移動媒体の周辺を表わす外部情報を取得するためのセンサと、
前記表示装置および前記センサに接続されたプロセッサとを備え、
前記プロセッサは、
前記表示装置に広告を表示し、
前記移動媒体から、当該移動媒体の走行情報を取得し、
前記外部情報と前記走行情報とに基づいて、前記広告による効果を推定し、
予め定められた報酬基準と前記効果とに基づいて、前記広告に対する報酬を決定するように構成されている、移動媒体。
【請求項２０】
前記外部情報は、前記広告の視認者の数と、当該視認者の属性と、当該視認者による前記広告に対する反応と、前記広告から前記視認者までの距離との少なくともいずれかを含み、
前記走行情報は、前記移動媒体の走行速度と、前記移動媒体の位置情報との少なくともいずれかを含み、
前記推定することは、前記外部情報の項目と、前記走行情報の項目と、予め定められた評価基準とに基づいて、前記効果を推定することを含む、請求項１９に記載の移動媒体。
【発明の詳細な説明】
【技術分野】
【０００１】
本開示は電子広告の提供に関し、より特定的には、走行中の物体の外部に電子広告を提供する技術に関する。
【背景技術】
【０００２】
走行する物体の一例である列車において情報を表示する技術に関し、例えば、特開２００８−８５６８５号公報（特許文献１）は、「列車内情報表示システムにおいて、情報表示装置に小型カメラを搭載することで、乗客がいつ，どこで，誰が，どの情報に興味を示していたかを、解析し、情報表示装置への適切な情報表示内容指示を実現する」ための技術を開示している（［要約］の［課題］参照）。
【先行技術文献】
【特許文献】
【０００３】
【特許文献１】特開２００８−８５６８５号公報
【発明の概要】
【発明が解決しようとする課題】
【０００４】
特許文献１に開示された技術は、列車内の乗客に対して広告コンテンツを配信するものであり、配信される広告は、広告表示装置の周りにいる乗客に限定される。したがって、広告の対象が乗客に限定されない技術が必要とされている。
【０００５】
また、乗客は広告内容の情報を得ることはできるものの、広告主からの広告掲載料は、鉄道運用会社に支払われ、乗客への報酬となることはない。したがって、広告掲載料が乗客への報酬となる技術が必要とされている。
【０００６】
また、カメラからの情報によって乗客が配信中の広告を注視したことを知ることが出来るが、実際の広告効果、つまり広告主の収入に結びついたか否かを判断することはできない。したがって、広告効果を判断できる技術が必要とされている。
【０００７】
例えば、特許文献１に開示された構成で乗客に報酬を支払うことを考えた場合、複数の乗客が同じ広告を視聴し得るため、報酬をどの乗客に支払うか判断することができず、また、広告主の収入に寄与したかを判断することは非常に難しい。したがって、報酬の支払先を的確に判断できる技術が必要とされている。また、広告が広告主の収入に寄与したか否かを判断できる技術が必要とされている。
【０００８】
本開示は上述のような問題点を解決するためになされたものであって、ある局面において、広告の対象が乗客に限定されることなく広告を提示する技術が開示される。他の局面において、広告掲載料が乗客への報酬となる技術が開示される。他の局面において、広告効果を判断できる技術が開示される。他の局面において、報酬の支払先を的確に判断できる技術が開示される。さらに他の局面において、広告が広告主の収入に寄与したか否かを判断できる技術が開示される。
【課題を解決するための手段】
【０００９】
ある実施の形態に従うと、コンピュータで実行される方法が提供される。この方法は、ネットワークを介して広告をサーバから取得するステップと、移動媒体の外部に広告を表示するステップと、移動媒体に設けられる外部情報取得装置から出力される信号に基づいて、移動媒体の周辺を表わす外部情報を取得するステップと、移動媒体から、当該移動媒体の走行情報を取得するステップと、外部情報と走行情報とに基づいて、広告による効果を推定するステップと、予め定められた報酬基準と効果とに基づいて、広告に対する報酬を決定するステップとを含む。
【００１０】
他の実施の形態に従うと、移動媒体を制御するためのプログラムが提供される。このプログラムは移動媒体に、ネットワークを介して広告をサーバから取得するステップと、移動媒体の外部に広告を表示するステップと、移動媒体に設けられる外部情報取得装置から出力される信号に基づいて、移動媒体の周辺を表わす外部情報を取得するステップと、移動媒体から、当該移動媒体の走行情報を取得するステップと、外部情報と走行情報とに基づいて、広告による効果を推定するステップと、予め定められた報酬基準と効果とに基づいて、広告に対する報酬を決定するステップとを実行させる。
【００１１】
さらに他の局面に従うと、情報処理装置が提供される。この情報処理装置は、移動媒体の外部に設けられた表示装置と、移動媒体の周辺を表わす外部情報を取得するためのセンサと、表示装置およびセンサに接続されたプロセッサとを備える。プロセッサは、表示装置に広告を表示し、移動媒体から、当該移動媒体の走行情報を取得し、外部情報と走行情報とに基づいて、広告による効果を推定し、予め定められた報酬基準と効果とに基づいて、広告に対する報酬を決定するように構成されている。
【００１２】
ある局面において、広告の対象が乗客に限定されることなく広告を提示することができる。他の局面において、広告掲載料が乗客への報酬となり得る。他の局面において、広告効果を判断することができる。他の局面において、報酬の支払先を的確に判断することができる。さらに他の局面において、広告が広告主の収入に寄与したか否かを判断できる。
【００１３】
その他の課題と新規な特徴は、本明細書の記述および添付図面から明らかになるであろう。
【図面の簡単な説明】
【００１４】
【図１】ある局面に従う移動媒体１００を用いて広告を表示するシステムの構成の概略を表わす図である。
【図２】コンピュータ装置２００のハードウェア構成を表わすブロック図である。
【図３】コンピュータ１１０のハードウェア構成を表わすブロック図である。
【図４】サーバ１７０のハードディスク５におけるデータの格納の一態様を概念的に表す図である。
【図５】コンピュータ１１０のフラッシュメモリ３０５におけるデータの格納の一態様を概念的に表す図である。
【図６】移動媒体１００が有するコンピュータ１１０が実行する処理の一部を表わすフローチャートである。
【図７】本実施の形態に係るシステム６０の構成の概略を表わすブロック図である。
【図８】スマートフォン６００のハードウェア構成を表わすブロック図である。
【図９】ある実施の形態に従うデータ８００の構成の概略を表わす図である。
【図１０】サーバ１７０のハードディスク５におけるデータの格納の一態様を概念的に表わす図である。
【図１１】時間と報酬（評価ポイント）との関係を表わす図である。
【図１２】第３の実施の形態に係るシステムの構成の概略を表わす図である。
【図１３】第４の実施の形態に係るシステムの構成を表わすブロック図である。
【図１４】第５の実施の形態に係るシステムの概略を表わす図である。
【図１５】第６の実施の形態に従うシステムの構成の概略を表わす図である。
【発明を実施するための形態】
【００１５】
以下、図面を参照しつつ、実施の形態について説明する。以下の説明では、同一の部品には同一の符号を付してある。それらの名称および機能も同じである。したがって、それらについての詳細な説明は繰り返さない。
【００１６】
まず、本開示に係る技術思想について説明する。将来、車両の自動運転の普及が見込まれている。自動運転が普及すると、自動車を所有して利用する形態（所謂オーナーカー）と、自動車を所有することなく利用する形態（所謂サービスカー）との２極化が進む可能性がある。他方、バス、鉄道等輸送機器の車体に広告が表示され、走行中に広告を提供する技術も普及している。サービスカーが普及すると、車外に広告が表示されることもあり得る。以下、本開示に係る技術思想について、サービスカーを含む輸送機器を移動媒体として説明する。
【００１７】
＜第１の実施の形態＞
図１を参照して、本実施の形態に係るシステムの概要について説明する。図１は、ある局面に従う移動媒体１００を用いて広告を表示するシステムの構成の概略を表わす図である。ある局面において、移動媒体１００は、自動車、バス、トラックその他の輸送機器であって、人あるいは物品の輸送サービスに使用される。以下、移動媒体１００をサービスカーということもある。自動車は、カーシェアリング、レンタカー、自動運転サービス等で使用される。バスは、路線バスあるいは貸し切りバスのような有償で乗客を輸送するサービスにおいて、あるいは、空港その他の私道において無償で乗客を輸送するサービスにおいて使用される。トラックは、宅配便のように運送サービスで使用されるものである。
【００１８】
広告主または代理店によって製作された宣伝広告コンテンツは、移動媒体１００（サービスカー）の外部のサーバ１７０に格納されている。移動媒体１００は、ネットワークを通じてサーバ１７０からコンテンツ１７１をダウンロードして移動媒体１００に設置してある表示装置１４０で移動媒体１００の外部に向けてコンテンツ１７１を再生（表示あるいは音声出力）する。また、移動媒体１００は、カメラ１３１、マイク１３２、センサ１３３などから外部情報を収集し、周囲の人が発信している広告に対して興味を示しているか否かを解析する。移動媒体１００は、解析結果と移動媒体１００の内部の装置から送られてくる位置情報、走行距離、走行スピードなどの走行情報を入力として評価を実施し、評価結果を示す評価値を算出する。移動媒体１００は、評価値が予め設定された閾値を超えていれば高評価と判定し、報酬として移動媒体１００の利用者のアカウントに加算される。得られた報酬は、移動媒体１００の利用に対する料金の精算時にサービス料金から減額されることによって、当該利用者に還元される。
【００１９】
移動媒体１００は、コンピュータ１１０と、走行情報取得部１２０と、外部情報取得部１３０と、表示装置１４０とを備える。コンピュータ１１０は、周辺状況解析部１１１と、評価部１１２と、報酬決定部１１３と、サービス料金テーブル１１４と、サービス料金決定部１１５とを含む。外部情報取得部１３０は、カメラ１３１と、マイク１３２と、センサ１３３との少なくともいずれかを含み得る。なお、周辺状況解析部１１１、評価部１１２、報酬決定部１１３およびサービス料金決定部１１５は、ある局面においてＣＰＵその他の汎用プロセッサにより実現され、別の局面において専用ハードウェアやアクセラレータによって実現され得る。
【００２０】
移動媒体１００は、無線または有線により、サーバ１７０に接続可能である。サーバ１７０は周知の構成を有するコンピュータによって実現される。サーバ１７０は、広告その他のコンテンツデータを保持している。当該コンテンツデータは、ある局面において、広告主１６０によって提供される。
【００２１】
走行情報取得部１２０は、移動媒体１００の走行時の状態を示す情報を取得する。当該情報は、移動媒体１００の位置情報、速度、出発地、目的地、移動経路、到着予定時刻等を含み得る。
【００２２】
外部情報取得部１３０は、移動媒体１００の外部の情報を取得し、取得した情報をコンピュータ１１０に送信する。より詳しくは、カメラ１３１は、移動媒体１００の外部に設けられる。例えば、一つ以上のカメラ１３１が、移動媒体１００の前方、右側面、左側面、後方に配置され得る。各カメラ１３１は、移動媒体１００の周囲を撮影し、撮影によって得られた画像データは、コンピュータ１１０に送られる。マイク１３２も、移動媒体１００の外部に設けられる。マイク１３２も、カメラ１３１と同様に配置され得る。マイク１３２によって集められた音の信号も、コンピュータ１１０に送られる。センサ１３３は、例えば、近接センサを含む。ある局面において、複数の近接センサが移動媒体１００の側面に配置され、移動媒体１００に物体が近づいてくることを検知する。近接センサからの出力も、コンピュータ１１０に送信される。また、ある局面において、距離センサ（図示しない）が距離情報を取得し、ＬｉＤＡＲ／レーダー（図示しない）が周辺状況を把握し、またはこれらの組み合わせにより高精度な周辺状況を把握することができる。
【００２３】
コンピュータ１１０は、走行情報取得部１２０によって取得された情報と、外部情報取得部１３０によって取得された情報とに基づいて、移動媒体１００の利用者に課せられる料金（サービス料金）を計算する。
【００２４】
より詳しくは、周辺状況解析部１１１は、移動媒体１００の周辺の状況を解析する。例えば、周辺状況解析部１１１は、センサ１３３からの情報を使用して周辺にいる物体（例えば広告を見るために近寄ってきた人）の凡その位置を推測し、当該位置に基づいてカメラ１３１からの画像データを解析する。周辺状況解析部１１１は、画像データから顔の抽出処理を行なうことにより、当該物体が人であるか否かを判定する。さらに、周辺状況解析部１１１は、当該物体が人であると判断すると、その人の性別、年齢層、注視情報（向いている方向から広告に注目しているか否かを示す情報）等を推定し、推定結果を詳細データとして取得する。別の局面において、周辺状況解析部１１１は、マイク１３２からの音声データを用いて、移動媒体１００の周囲の歩行者の会話からキーワードを抽出する。周辺状況解析部１１１による解析で得られた、移動媒体１００から物体（人）までの距離、性別、年齢層、注視情報、会話のキーワードは、評価部１１２に入力される。
【００２５】
評価部１１２は、周辺状況解析部１１１から入力される周辺情報と、走行情報取得部１２０から入力される走行情報とに基づいて、移動媒体１００において表示されている広告が、どの程度効果的に機能しているかを評価する。例えば、評価部１１２は、現在の広告による宣伝の効果が（１）標準よりも小さい、（２）標準である、（３）標準よりも大きい、といった複数の段階に分類することにより、広告の効果を評価する。移動媒体１００の走行中は、周辺の状況が刻々と変化するため、評価状況も状況に応じて変化する。そこで、評価部１１２は、走行情報も考慮して、広告の効果を評価する。評価の結果は、報酬決定部１１３に入力される。
【００２６】
評価部１１２は、広告の評価方法として、例えば、広告を見ている人の数（注視ポイント）に基づいて、広告の効果の程度を推定する。別の局面において、評価部１１２は、さらに、広告を注視していない人も含めた全体の人数に対して当該広告を注視している人数を広告の効果として推定してもよい。
【００２７】
他の局面において、各広告のコンテンツ毎に性別、年齢層その他の属性が付加されている場合には、評価部１１２は、周辺状況解析部１１１によって抽出された当該属性に応じて、広告の効果を表わす数値にその抽出結果を加算し得る。
【００２８】
仮に、移動媒体１００が路上で停止している場合に検出された人の数と、移動媒体１００が走行している場合に検出された人の数とが同じである場合、移動媒体１００に提示されている広告は、走行中も人の注目を浴びると推定し得る。そこで、移動媒体１００の停止時と走行時とに検出される人の数が同じである場合には、評価部１１２は、当該広告は注目を浴びているとして、広告の効果が（３）標準よりも大きい、と判断し得る。
【００２９】
別の局面において、移動媒体１００が路上で停止している場合に検出された人の数が、予め定められた基準値を下回る場合があり得る。この場合には、視認可能な状況においても通行人の注意をひきつけにくいとして、評価部１１２は、当該広告の効果が（１）標準よりも小さい、と判断し得る。
【００３０】
あるいは、さらに別の局面において、移動媒体１００が走行中に検出された人の数が、移動媒体１００が路上で停止している場合に検出された人の数よりも少ない場合があり得る。この場合、移動媒体１００の走行に応じて注目をひきにくくなるという点で、評価部１１２は、当該広告の効果は（２）標準である、と判断し得る。
【００３１】
別の例として、評価部１１２は、視認者の人数および性別に基づいて、広告の効果を評価し得る。例えば、移動媒体１００の周辺に、７人の女性および３人の男性が検出された場合について説明する。３名の女性および１名の男性が広告を見ており、他の４名の女性と移動媒体１００との距離が離れていると判定された場合において、広告のターゲットが「女性」であるとき、評価部１１２は、以下のように、評価ポイントの範囲に応じて広告の効果を判定し得る。
【００３２】
（評価基準）
ａ）  評価ポイント＜５．０：効果が標準よりも小さい
ｂ）  ５．０≦評価ポイント＜８．０：効果的（効果は標準である）
ｃ）  ８≦評価ポイント：効果が標準よりも大きい
上記の場合、合計４名が広告を見ているので、基準の評価ポイント（注視ポイント）が予め「１」と設定されている場合、そのことに対する注視ポイントは、以下のように計算される。
【００３３】
注視ポイント＝４×１＝４（ポイント）
実際に広告を視認し得るのは、移動媒体１００の近傍にいる人であり、移動媒体１００から離れた場所にいる人（４名の女性）に対する広告の効果は考慮の対象から除外される。この場合、基準の人数ポイントが予め「０．１」と設定されている場合、評価ポイント（人数ポイント）は、以下のように計算される。
【００３４】
人数ポイント＝（１０−４）×０．１＝０．６（ポイント）
広告のターゲットが「女性」である場合、移動媒体１００の近傍から７名の女性が検出されたことから、基準の評価ポイント（ターゲットポイント）が予め「０．１」と設定されている場合には、ターゲットポイントは、以下のように計算される。
【００３５】
ターゲットポイント＝７×０１．＝０．７（ポイント）
よって、評価ポイントの合計＝４＋０．６＋０．７＝５．３となり、評価部１１２は、当該広告が効果的であると判定し得る。この判定結果は、報酬決定部１１３に入力される。
【００３６】
報酬決定部１１３は、評価部１１２による結果に基づいて、広告に対する報酬を決定する。例えば、報酬決定部１１３は、入力される現在の評価結果を積算することにより報酬を決定する。したがって、評価部１１２による望ましい評価が長く継続すると、例えば、ある広告が効果的（効果は標準である）という評価、または、当該広告の効果が「標準よりも大きい」といった評価が長く続けば、報酬決定部１１３は、表示している広告が効果的に機能していると判断され，より多くの報酬を発生させる。決定された報酬は、移動媒体１００の利用料金を減額する場合に使用され得る。
【００３７】
サービス料金テーブル１１４は、走行距離、走行時間、サービス時間帯、および曜日に応じて予め規定されたサービス料金（移動媒体１００の利用料金）を規定している。
【００３８】
サービス料金決定部１１５は、報酬決定部１１３により決定された報酬と、上記サービス料金とに基づいて、移動媒体１００の利用者に請求される料金を算出する。決定された料金は、当該利用者のアカウントに対して、あるいは、表示装置１４０によって通知され得る。
【００３９】
図１は、コンピュータ１１０が移動媒体１００に搭載されている場合を示しているが、コンピュータ１１０によって実行される上記の処理は、移動媒体１００の外部で実行されてもよい。例えば、これらの処理は、サーバ１７０のように外部に設けられたコンピュータによって、クラウドコンピューティングとして実行されてもよい。また別の局面において、これらの処理は、複数のコンピュータによって分散処理されてもよい。
【００４０】
［コンピュータのハードウェア構成］
図２を参照して、本実施の形態において使用されるサーバ１７０のハードウェア構成について説明する。図２は、サーバ１７０として機能するコンピュータ装置２００のハードウェア構成を表わすブロック図である。
【００４１】
コンピュータ装置２００は、主たる構成要素として、プログラムを実行するＣＰＵ（Central  Processing  Unit）１と、コンピュータ装置２００のユーザによる指示の入力を受けるマウス２およびキーボード３と、ＣＰＵ１によるプログラムの実行により生成されたデータ、又はマウス２若しくはキーボード３を介して入力されたデータを揮発的に格納するＲＡＭ（Random  Access  Memory）４と、データを不揮発的に格納するハードディスク５と、通信インターフェイス７と、モニタ８とを備える。各構成要素は、相互にバスによって接続されている。通信インターフェイス７は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００４２】
コンピュータ装置２００における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭその他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置その他のデータ読取装置によってデータ記録媒体から読み取られて、あるいは、通信インターフェイス７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００４３】
図２に示されるコンピュータ装置２００を構成する各要素は、一般的なものである。したがって、本実施の形態に係る最も本質的な部分は、コンピュータ装置２００に格納されたプログラムであるともいえる。コンピュータ装置２００の各ハードウェアの動作は周知であるので、詳細な説明は繰り返さない。
【００４４】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００４５】
ここでいうプログラムとは、ＣＰＵ１により直接実行可能なプログラムだけでなく、ソースプログラム形式のプログラム、圧縮処理されたプログラム、暗号化されたプログラム等を含み得る。
【００４６】
図３を参照して、本実施の形態において使用されるコンピュータ１１０のハードウェア構成について説明する。図３は、コンピュータ１１０のハードウェア構成を表わすブロック図である。ある局面において、コンピュータ１１０は、ＳｏＣ（System  on  Chip）の態様で実現される。
【００４７】
コンピュータ１１０は、主たる構成要素として、プログラムを実行するＣＰＵ３０１と、ＣＰＵ３０１によるプログラムの実行により生成されたデータ又は入力されたデータを揮発的に格納するＲＡＭ３０４と、データを不揮発的に格納するフラッシュメモリ３０５と、通信インターフェイス３０７とを備える。各構成要素は、相互にバスによって接続されている。
【００４８】
［データ構造］
図４を参照して、サーバ１７０のデータ構造について説明する。図４は、サーバ１７０のハードディスク５におけるデータの格納の一態様を概念的に表す図である。ハードディスク５は、テーブル３１０を保持している。テーブル３１０は、各移動媒体１００に配信される広告に関するデータを格納している。
【００４９】
より詳しくは、テーブル３１０は、車両ＩＤ３１１と、広告ＩＤ３１２と、走行日時３１３と、走行場所（位置情報）３１４と、視聴者数３１５と、反応３１６と、乗客情報３１７とを含む。車両ＩＤ３１１は、各移動媒体１００を識別する。広告ＩＤ３１２は、当該車両ＩＤを有する移動媒体１００によって外部に表示される広告を識別する。なお、移動媒体１００によって外部に表示される広告の種類および数は１つに限られない。複数の広告が１つの移動媒体１００で表示されてもよい。走行日時は、移動媒体１００が走行した日時を表わす。走行場所２１４は、移動媒体１００が走行した経路を表わす。当該経路は、例えば、予め定められた時間間隔で取得された位置情報の集合として示される。視聴者数３１５は、当該広告を視認していた視聴者として検出された人の数を表わす。視聴者数３１５は、ある局面において、移動媒体１００から送信される。反応３１６は、当該広告に対する反応の有無および反応の内容を表わす。反応の内容の一例は、来店、電話、ＷＥＢアクセス、ＷＥＢ予約等を含む。例えば、移動媒体１００の外部に表示された広告を見た通行人が、スマートフォンで当該広告のＱＲ（Quick  Response）コード（登録商標）を撮影して当該広告の詳細をウエブにて確認し得る。サーバ１７０は、このようなアクセスを検知すると、そのアクセスの内容に応じて、反応３１６のデータを更新する。乗客情報３１７は、移動媒体１００の乗客の情報である。乗客の情報は、例えば、乗客名、乗客ＩＤ、搭乗の予約日時、実際に乗車した日時等を含む。
【００５０】
図５を参照して、コンピュータ１１０のデータ構造について説明する。図５は、コンピュータ１１０のフラッシュメモリ３０５におけるデータの格納の一態様を概念的に表す図である。フラッシュメモリ３０５は、テーブル４１０を保持している。テーブル４１０は、画像ＩＤ４１１と、取得日時４１２と、取得場所（位置情報）４１３と、画像ファイル４１４と、乗客情報４１５とを含む。画像ＩＤ４１１は、カメラ１３１によって撮影された画像を特定する。画像ＩＤ４１１は、例えば、撮影が開始した日時を含むタイムスタンプによって自動的に命名される。取得日時４１２は、当該画像が取得された日時を特定する。取得場所４１３は、当該画像が取得された場所を特定する。この場所は、例えば、移動媒体１００が有する測位機能（例えば、ＧＰＳ（Global  Positioning  System）機能）によって取得される。画像ファイル４１４は、例えば、ＭＰＥＧ（Moving  Picture  Experts  Group）フォーマットその他の規格に従う画像データであるが、規格は特に限定されない。乗客情報４１５は、移動媒体１００の乗客の情報である。乗客の情報は、例えば、乗客名、乗客ＩＤ、搭乗の予約日時、実際に乗車した日時等を含む。ある局面において、乗客情報４１５は、サーバ１７０から送信される。
【００５１】
［制御構造］
図６を参照して、移動媒体１００の制御構造について説明する。図６は、移動媒体１００が有するコンピュータ１１０が実行する処理の一部を表わすフローチャートである。
【００５２】
ステップＳ５０５にて、ＣＰＵ３０１は、ネットワークを介してサーバ１７０から広告を取得する。
【００５３】
ステップＳ５１０にて、ＣＰＵ３０１は、移動媒体１００の表示装置１４０に広告を表示する。
【００５４】
ステップＳ５２０にて、ＣＰＵ３０１は、移動媒体１００に設けられる外部情報取得装置から出力される信号を受信する。例えば、ＣＰＵ３０１は、カメラ１３１、マイク１３２、センサ１３３から出力される各信号の入力を受け付ける。
【００５５】
ステップＳ５３０にて、ＣＰＵ３０１は、当該信号に基づいて、移動媒体の周辺を表わす外部情報を取得して、当該情報を保存する。当該情報は、移動媒体１００に接近する物体の有無、移動媒体１００を視認していると推定される人の数、男性または女性の別、移動媒体１００と当該人との距離等を含み得る。
【００５６】
ステップＳ５４０にて、ＣＰＵ３０１は、移動媒体１００の走行情報を取得する。例えば、ＣＰＵ３０１は、移動媒体１００の走行速度、走行位置等を取得する。
【００５７】
ステップＳ５５０にて、ＣＰＵ３０１は、外部情報と走行情報とに基づいて、広告による効果を推定する。例えば、ＣＰＵ３０１は、評価部１１２として、周辺状況解析部１１１による解析の結果と、走行情報取得部１２０によって取得された走行情報とに基づいて、当該広告の効果が、標準的であるか、標準よりも小さい、あるいは、標準よりも大きいかを判断する。
【００５８】
ステップＳ５６０にて、ＣＰＵ３０１は、報酬決定部１１３として、予め定められた報酬基準と効果とに基づいて、広告に対する報酬を決定する。
【００５９】
ステップＳ５７０にて、ＣＰＵ３０１は、決定された報酬に基づき、移動媒体の利用料金を算出する。例えば、ＣＰＵ３０１は、サービス料金決定部１１５として、サービス料金テーブル１１４と、報酬決定部１１３による決定の結果とに基づいて、移動媒体１００の利用者（例えば、カーシェアリングサービスの利用者）に課せられるサービスの利用料金を算出する。その後、ＣＰＵ３０１は、算出した利用料金を利用者に通知し、あるいは、移動媒体１００の内部に設けられた乗客用モニタ（図示しない）に表示する。
【００６０】
以上のようにして、本実施の形態によれば、カメラ１３１、マイク１３２、センサ１３３などから得た外部情報と移動媒体１００が持っている走行情報とから、広告が効果的に作用しているかを判断し、広告の効果を評価し、移動媒体１００の利用者に対する報酬が決定され、標準の料金から減額される場合もあり得る。
【００６１】
このような構成によれば、
（１）広告主が支払った広告掲載料金をサービスの利用者（移動媒体１００の乗客）に還元することが可能になるので、利用料金が実質的に減額されることになり、利用者にとっての便宜が向上する。
（２）広告主は依頼した広告が有効かどうかを定量的に判断できるようになるので、広告主にとって利便性が向上し得る。
（３）実質的に低料金でのサービス提供が可能となるので、利用者の増加が期待され、かつ、利用者の囲い込みが可能となるので、移動媒体１００の運行管理者（例えば、サービスカー事業の運営者等）にとって、事業上の優位性が高まり得る。
【００６２】
＜第２の実施の形態＞
次に、第２の実施の形態について説明する。本実施の形態によれば、広告を見た通行人等による当該広告の詳細データへのアクセスに基づいて広告を評価できる点で、前述の実施の形態と異なる。すなわち、評価方法としてより確実に宣伝効果があるものを高評価とすることが必要となる場合がある。そこで、広告を見た人が当該広告によって宣伝されているサービスあるいは商品を購入したり、情報を積極的に得ようとした場合等には、当該広告の効果は大きい（高評価）とするのが望ましい。
【００６３】
通行人等が、広告と同時に発信された情報（例えば、ＱＲコード（登録商標））を用いて、スマートフォン等の端末から当該広告の詳細情報にアクセスし得る。この場合、当該広告の詳細情報へのアクセス履歴がネットワークを通して移動媒体１００に送信され、評価部１１２は、当該広告が高評価を得たと判定し得る。広告と共に移動媒体１００から発信される情報は、例えば、視聴者が分かり易いように電子媒体に表示される車両番号、ＱＲコード化された専用アドレス等を含み得る。別の局面において、評価部１１２は、スマートフォンから送信された位置情報から、そのスマートフォンの近くを走行していた移動媒体１００を検索して、検索された移動媒体１００に、利用者によるアクセスがあった旨の情報を通知してもよい。
【００６４】
ここで、図７を参照して、本実施の形態に係るシステム６０について説明する。図７は、本実施の形態に係るシステム６０の構成の概略を表わすブロック図である。なお、前述の実施の形態に含まれる構成要素と同じ構成要素には、同一の番号を付してある。それらの機能も同じである。したがって、同じ説明は繰り返さない。
【００６５】
システム６０は、図１に示される構成に加えて、スマートフォン６００を備える。スマートフォン６００は、通行人、歩行者その他移動媒体１００の外部にいる人によって使用される。スマートフォン６００は、インターネットその他の通信回線を介して、サーバ１７０にアクセス可能である。アクセスの際、スマートフォン６００は、サーバ１７０に視聴情報を送信する。視聴情報は、スマートフォン６００の識別情報、位置情報およびユーザ情報、ならびに、移動媒体１００に表示されている広告の識別情報等を含む。サーバ１７０は、インターネットその他の通信回線を介して、移動媒体１００に情報を送信し得る。送信される情報は、移動媒体１００によって表示された広告の詳細情報にアクセスしたユーザ（スマートフォン６００のユーザ）の識別情報、当該広告の識別情報等、スマートフォン６００によって送信された視聴情報を含み得る。
【００６６】
評価部１１２は、周辺状況解析部１１１による解析結果と、走行情報取得部１２０によって取得された情報と、サーバ１７０から送られた情報とに基づいて、広告の効果を評価する。例えば、ある広告の詳細情報に対するアクセス件数が他の広告のそれに比べて多い場合には、当該ある広告の効果が標準の効果よりも大きいと推定される。そこで、ある局面において、評価部１１２は、前述の評価ポイントの算出式において、アクセス件数の評価ポイントを加算してもよい。
【００６７】
［スマートフォンの構成］
図８を参照して、スマートフォン６００の構成について説明する。図８は、スマートフォン６００のハードウェア構成を表わすブロック図である。
【００６８】
スマートフォン６００は、ＣＰＵ２０と、アンテナ２３と、通信装置２４と、入力スイッチ２５と、カメラ２６と、フラッシュメモリ２７と、ＲＡＭ２８と、ＲＯＭ２９と、メモリカード駆動装置３０と、マイク３２と、スピーカ３３と、音声信号処理回路３４と、モニタ３５と、ＬＥＤ（Light  Emitting  Diode）３６と、通信インターフェイス３７と、バイブレータ３８と、ＧＰＳアンテナ３９と、ＧＰＳモジュール４０と、加速度センサ４１と、地磁気センサ４２とを備える。メモリカード駆動装置３０には、メモリカード３１が装着され得る。
【００６９】
アンテナ２３は、基地局によって発信される信号を受信し、または、基地局を介して他の通信装置と通信するための信号を送信する。アンテナ２３によって受信された信号は、通信装置２４によってフロントエンド処理が行なわれ、処理後の信号は、ＣＰＵ２０に送られる。
【００７０】
ＣＰＵ２０は、スマートフォン６００に対して与えられる命令に基づいてスマートフォン６００の動作を制御するための処理を実行する。スマートフォン６００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００７１】
入力スイッチ２５は、スマートフォン６００に対する命令の入力を受け付ける。入力スイッチ２５は、タッチセンサ、スマートフォン６００の筐体に設けられたボタン等により実現される。入力された命令に応じた信号は、ＣＰＵ２０に入力される。
【００７２】
マイク３２は、スマートフォン６００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００７３】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００７４】
ＲＡＭ２８は、入力スイッチ２５に対して行なわれた操作に基づいてＣＰＵ２０によって生成されるデータを一時的に保持する。ＲＯＭ２９は、スマートフォン６００に予め定められた動作を実行させるためのプログラムあるいはデータを格納している。ＣＰＵ２０は、ＲＯＭ２９から当該プログラムまたはデータを読み出し、スマートフォン６００の動作を制御する。
【００７５】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の記憶領域に書き込む。
【００７６】
音声信号処理回路３４は、上述のような通話のための信号処理を実行する。なお、図８に示される例では、ＣＰＵ２０と音声信号処理回路３４とが別個の構成として示されているが、他の局面において、ＣＰＵ２０と音声信号処理回路３４とが一体として構成されていてもよい。
【００７７】
モニタ３５は、タッチ操作式のモニタであるが、タッチ操作を受け付ける機構は特に限られない。モニタ３５は、ＣＰＵ２０から取得されるデータに基づいて、当該データによって規定される画像を表示する。たとえば、フラッシュメモリ２７に格納されている静止画、動画、地図などを表示する。
【００７８】
ＬＥＤ３６は、ＣＰＵ２０から出力される信号に基づいて発光する。ある局面において、通信インターフェイス３７は、ＷｉＦｉ（Wireless  Fidelity）、Bluetooth（登録商標）、ＮＦＣ（Near  Field  Communication）等により実現される。別の局面において、通信インターフェイス３７は、データ通信用のケーブルの装着を受け付ける。通信インターフェイス３７は、ＣＰＵ２０から出力される信号を発信する。あるいは、通信インターフェイス３７は、スマートフォン６００の外部から受信した信号に含まれるデータを、ＣＰＵ２０に対して送信する。
【００７９】
バイブレータ３８は、ＣＰＵ２０から出力される信号に基づいて、予め定められた周波数で発振動作を実行する。
【００８０】
ＧＰＳアンテナ３９は、４つ以上の衛星からそれぞれ送信されるＧＰＳ信号を受信する。受信された各ＧＰＳ信号は、ＧＰＳモジュール４０に入力される。ＧＰＳモジュール４０は、各ＧＰＳ信号と公知の技術とを用いて測位処理を実行し、スマートフォン６００の位置情報を取得する。
【００８１】
加速度センサ４１は、スマートフォン６００に作用する加速度を検出する。ある局面において、加速度センサ４１は、３軸加速度センサとして実現される。検出された加速度は、ＣＰＵ２０に入力される。ＣＰＵ２０は、この加速度に基づいて、スマートフォン６００の動きや姿勢（傾き）を検出する。
【００８２】
地磁気センサ４２は、スマートフォン６００が向いている方角を検出する。この検出により取得された情報は、ＣＰＵ２０に入力される。
【００８３】
［データ構造］
図９を参照して、スマートフォン６００からサーバ１７０に送信されるデータ８００について説明する。図９は、ある実施の形態に従うデータ８００の構成の概略を表わす図である。データ８００は、端末ＩＤ８１０と、ユーザＩＤ８２０と、位置情報８３０と、広告ＩＤ８４０と、閲覧日時８５０と、送信日時８６０とを含む。
【００８４】
端末ＩＤ８１０は、スマートフォン６００を識別する。ユーザＩＤ８２０は、スマートフォン６００のユーザを識別する。位置情報８３０は、データ８００が生成された場所を特定する。例えば、ユーザがスマートフォン６００のカメラを移動媒体１００に向けてＱＲコードを撮影した時の位置が位置情報８３０に含められる。広告ＩＤ８４０は、当該広告を識別する。閲覧日時８５０は、データ８００が生成された日時、すなわち、広告へのアクセスが行なわれた日時を識別する。送信日時８６０は、データ８００がサーバ１７０に送信された日時を識別する。ある局面において、閲覧日時８５０と送信日時８６０とは別の日であってもよい。例えば、ユーザが広告を撮影した時点では詳細情報へのアクセスが行なわれない場合であっても、後にアクセスが行なわれる場合には、閲覧日時８５０と送信日時８６０とは、別の日となり得る。
【００８５】
次に、図１０を参照して、サーバ１７０のデータ構造について説明する。図１０は、サーバ１７０のハードディスク５におけるデータの格納の一態様を概念的に表わす図である。ハードディスク５は、テーブル９１０を保持している。テーブル９１０は、広告ＩＤ９１１と、配信日時９１２と、アクセス日時９１３と、アクセスユーザＩＤ９１４と、アクションＩＤ９１５と、広告データ９１６と、乗客情報９１７とを含む。広告ＩＤ９１１は、配信対象となる広告を識別する。配信日時９１２は、当該広告が配信された日時を表わす。アクセス日時９１３は、当該広告の詳細情報へのアクセスが行なわれた日時を表わす。アクセスユーザＩＤ９１４は、当該詳細情報にアクセスしたユーザを識別する。アクションＩＤ９１５は、当該アクセスにおいて具体的に行われたユーザの動作を識別する。当該動作は、詳細情報の閲覧、当該広告によって宣伝された商品またはサービスの予約、当該商品またはサービスの申し込み、等を含み得る。広告データ９１６は、ネットワークを介して移動媒体１００に送信される。乗客情報９１７は、移動媒体１００の乗客の情報である。乗客の情報は、例えば、乗客名、乗客ＩＤ、搭乗の予約日時、実際に乗車した日時等を含む。ある局面において、乗客情報９１７は、移動媒体１００を利用しようとするユーザが予約の際に使用した通信端末から送信されるデータに基づいて生成される。別の局面において、サーバ１７０が、移動媒体１００から乗客情報９１７を受信してもよい。
【００８６】
図１１を参照して、報酬を決定する他の態様についてさらに説明する。図１１は、時間と報酬（評価ポイント）との関係を表わす図である。図１１は、複数種類の報酬が存在していることを示しており、各報酬の相違は、図１１に示されるグラフの傾きの違いとして示される。ある局面において、報酬は、標準、標準よりも多い、標準よりも少ない、報酬なし、特別加算、として規定される。報酬が標準よりも多いか少ないかは、標準の場合の傾きよりも大きい傾き（＝標準よりも多い）、および、標準の場合の傾きよりも小さい傾き（＝標準よりも少ない）として規定される。
【００８７】
図１１の例では、タイミングｔ（０）からタイミングｔ（１）までは、広告の効果がゼロであり、タイミングｔ（１）から、効果が出始めている。タイミングｔ（１）からｔ（２）までのグラフは、第１の報酬を示す。タイミングｔ（２）からｔ（３）までのグラフは、第２の報酬を示す。第２の報酬は第１の報酬よりも加算額が多い。タイミングｔ（４）は、第３の報酬を示す。第３の報酬は特別加算を示す。タイミングｔ（４）からｔ（５）までのグラフは、第４の報酬を示す。
【００８８】
また、タイミングｔ（３）からｔ（４）までおよびタイミングｔ（５）からｔ（６）までは、報酬が発生していないことを示す（傾き＝０）。
【００８９】
タイミングｔ（４）において、当該広告の詳細情報へのアクセスがサーバ１７０において検知されると、広告の効果が著しく高まっているとして報酬が大きく加算されている。その後、タイミングｔ（４）からタイミングｔ（５）まで、緩やかに効果が高まり、タイミングｔ（５）からタイミングｔ（６）までは、広告の効果はそれ以上高まっておらず、したがって、追加の報酬も発生していない。
【００９０】
サーバ１７０は、広告の効果の高まりにつながるようなアクションを検知すると、その検知結果を移動媒体１００のコンピュータ１１０に送信する。評価部１１２は、そのアクセスについて予め規定された評価ポイントを加算する。このようにすると、広告に対するユーザのアクションに応じた効果をきめ細かく設定することができる。
【００９１】
＜第３の実施の形態＞
図１２を参照して、第３の実施の形態について説明する。図１２は、第３の実施の形態に係るシステムの構成の概略を表わす図である。本実施の形態は、移動媒体１００の乗車というサービスを利用した後に発生した広告効果に対する報酬を受け取ることができる点で、前述の実施の形態と異なる。なお、本実施の形態に係るシステムは、前述の実施の形態に係るシステムを構成する移動媒体１００およびサーバ１７０によって実現され得る。したがって、当該システムの構成の詳細な説明は、繰り返さない。
【００９２】
より詳しくは、移動媒体１００の利用者は、サービスの利用時（例えば、乗車時）に会員情報として当該利用者のアカウントを登録しておくと、サービス利用後に発生した報酬がポイントとして還元され得る。登録された会員情報は、利用時間、経路、目的地などのサービス利用記録と共にネットワークを介してサーバ１７０に送られる。サーバ１７０は、受信したこれらの情報を管理している。利用者が移動媒体１００から発信された情報を用いて割引券を使用したり、広告を提供する事業者による商品またはサービスの予約を行なうことで、当該事業者の運営する店舗のコンピュータが、当該利用者が実際に商品またはサービスの予約を行なった旨の通知をサーバ１７０に発信する。サーバ１７０は、会員情報の一部としてポイントも管理しており、店舗からの通知に従って当該会員のアカウントにポイントを加算する。会員は、次回以降に貯まったポイントを移動媒体１００の利用その他のサービスの利用料金の一部に使用することもできる。
【００９３】
サービス利用期間は限られた時間であり、特に短時間の利用では広告が効果的に作用したとしても報酬に反映されない場合があり得る。このような場合であっても、本実施の形態によれば、サービスの利用時間と広告効果の発生とのズレを解消することが可能となるので、システムの利用者にとっての利便性が向上し得る。
【００９４】
＜第４の実施の形態＞
図１３を参照して、第４の実施の形態について説明する。図１３は、第４の実施の形態に係るシステムの構成を表わすブロック図である。本実施の形態に係る移動媒体１００は、走行情報取得部１２０によって取得された走行情報が、表示装置１４０に入力されて、表示装置１４０は、当該走行情報に応じた表示を実現する点で、前述の実施の形態と異なる。
【００９５】
移動媒体１００は、高速に移動している場合と、低速または停止状態にある場合とで、広告の表示方法を変えることができる。例えば、移動媒体１００が停止または低速移動している場合には、移動媒体１００の外部の表示装置が詳細情報を発信しても、周囲の通行人等に読み取ってもらえる可能性がある。しかし、移動媒体１００が高速移動している場合には、歩行者は、移動媒体１００の外部に表示される情報を読み取ることはできない。そこで、移動媒体１００が高速移動している場合には、移動媒体１００は、外部の表示装置１４０に表示されるコンテンツを、低速移動時に表示されるコンテンツから、映像等の分かり易いコンテンツに切り替える。これにより、歩行者は、比較的高速で移動している移動媒体１００を見た場合に、映像等のコンテンツを撮影することにより、広告情報を取得することができる。その上で、歩行者が、より詳細な情報を必要とする場合には、比較的読み取ることが可能な車体番号や位置情報から、スマートフォン６００にインストールされたアプリやＷＥＢページ等を経由して当該コンテンツを提供するサイトにアクセスして、その情報を取得することができる。
【００９６】
より具体的には、表示装置１４０は、走行情報取得部１２０から送られる車速に基づいて、表示するコンテンツを切り替える。この切り替えは、例えば、走行速度が予め定められた車速以上であるか否かに基づいて行なわれる。一例として、切り替えの車速が時速３０ｋｍと設定されている場合、停止していた移動媒体１００が動き出して時速３０ｋｍに到達するまでは、表示装置１４０は、比較的詳細な情報を広告として表示する。その後、移動媒体１００の車速が時速３０ｋｍを超えると、表示装置１４０は、視認性が良く、かつ、情報量が少ない広告を表示する。例えば、表示装置１４０は、時速３０ｋｍ以下での走行時に表示されていた広告のスポンサーのＱＲコード、ロゴ等、を表示する。歩行者は、移動媒体１００の外部に表示される広告に興味をひかれた場合には、ＱＲコード、ロゴ等を撮影することにより、その後、当該スポンサーのＷＥＢサイトにアクセスしやすくなる。
【００９７】
このようにして、本実施の形態によれば、移動媒体１００の走行速度に応じて表示される広告が切り換わるので、より効率的な広告（情報伝達）が可能となる。
【００９８】
＜第５の実施の形態＞
図１４を参照して、第５の実施の形態について説明する。図１４は、第５の実施の形態に係るシステムの概略を表わす図である。移動媒体１００が備えるカメラ１３１は、移動媒体１００の周囲を撮影することができる。撮影された映像は、移動媒体１００からサーバ１７０に送信される。サーバ１７０は、各移動媒体１００から受信した映像をコンテンツ映像として管理する。移動媒体１００によるサービスの利用者１３００は、インターネット経由でサーバ１７０にアクセスすることができ、サービス利用期間中（移動媒体１００に乗車中）の映像を参照したり、ダウンロードすることができる。
【００９９】
より具体的には、本実施の形態に係るサーバ１７０は、コンテンツ１７１に加えて、会員管理ＤＢ１７２と、映像管理ＤＢ１７３とを含む。会員管理ＤＢ１７２は、移動媒体１００によるサービス（例、カーシェアリング、レンタカー、タクシー利用等）の会員情報を管理する。会員情報は、利用者１３００のユーザＩＤ、支払口座、利用履歴、ポイント等を含み得る。映像管理ＤＢ１７３は、各移動媒体１００から送られてきた映像データを管理する。より具体的には、映像管理ＤＢ１７３は、映像データの識別ＩＤ、当該映像データを取得した移動媒体１００の識別ＩＤ、映像管理ＤＢ１７３に登録された日時、当該映像データへのアクセス履歴等を含む。アクセス履歴は、アクセスを行なったユーザＩＤ、アクセス日時を含む。
【０１００】
また、別の局面において、移動媒体１００によるサービスを提供する事業会社は、これらの映像データを利用することができる。例えば、映像データは、事故の決定的瞬間、犯罪現場の証拠映像、あるいはハプニング映像として、放送局、警察等によって利用され得る。映像データがこのようにして利用されて対価を得た場合は、当該事業会社は、その対価の一部を移動媒体１００の利用者にポイントとして還元してもよい。このようにすると、利用者の支払う料金が実質的に減額されることになる。
【０１０１】
以上のようにして、本実施の形態によれば、移動媒体１００の走行中に撮影された映像を提供するという二次的なサービスが提供されるので、移動媒体１００を走行させる価値が高まり得る。
【０１０２】
＜第６の実施の形態＞
図１５を参照して、第６の実施の形態について説明する。図１５は、第６の実施の形態に従うシステムの構成の概略を表わす図である。本実施の形態に従う移動媒体１４００は、移動媒体１００の構成に加えて、車内表示モニタ１４１０をさらに備える。なお、その他の構成は、前述の構成と同様である。したがって、その他の構成の説明は繰り返さない。
【０１０３】
車内表示モニタ１４１０は、移動媒体１００の利用者（例えば、自動運転サービスを利用する乗客）によって視認される。車内表示モニタ１４１０は、液晶モニタ、有機ＥＬモニタのような表示装置以外に、ヘッドアップディスプレイとしても実現され得る。サービス料金決定部１１５によって決定されたサービスの料金は、車内表示モニタ１４１０に表示される。
【０１０４】
本実施の形態によれば、車内表示モニタ１４１０は、走行距離や走行時間に応じて決められたサービス利用料金、または、予め決定されているサービス利用料金と共に、広告によって発生した報酬と報酬分が減算された最終的なサービス料金とをリアルタイムで表示することができる。したがって、利用者は、容易に料金を確認することができるので、不当な請求等のトラブルも防止され得る。
【０１０５】
開示された技術的特徴は、以下のように要約され得る。
［構成１］ある局面に従うと、コンピュータ（１１０，１７０，２００）で実行される方法は、移動媒体１００の外部に配置された表示装置１４０に広告を表示するステップと、移動媒体１００に設けられる外部情報取得装置(例えば、外部情報取得部１３０）から出力される信号に基づいて、移動媒体１００の周辺を表わす外部情報（例えば、移動媒体１００の方を見ている人の有無、人数等）を取得するステップと、移動媒体１００から、当該移動媒体１００の走行情報（例えば、速度、走行場所、目的地等）を取得するステップと、外部情報と走行情報とに基づいて、広告による効果を推定するステップと、予め定められた報酬基準と効果とに基づいて、広告に対する報酬を決定するステップとを含む。
【０１０６】
［構成２］ある局面において、上記構成に加えて、外部情報取得装置は、移動媒体１００の周辺を撮影して画像信号を出力するカメラ１３１、移動媒体１００の周辺の音声を取得して信号を出力するマイク１３２、および、移動媒体１００の周辺に対する近接状況を検知するためのセンサ１３３の少なくともいずれかを含む。
【０１０７】
［構成３］ある局面において、上記構成に加えて、外部情報は、広告の視認者の数と、当該視認者の属性と、当該視認者による広告に対する反応と、広告から視認者までの距離との少なくともいずれかを含む。走行情報は、移動媒体１００の走行速度と、移動媒体１００の位置情報との少なくともいずれかを含む。推定するステップは、外部情報の項目と、走行情報の項目と、予め定められた評価基準とに基づいて、効果を推定することを含む。
【０１０８】
［構成４］ある局面に従う方法は、上記構成に加えて、広告の効果に応じて、当該移動媒体１００の利用料金を減額する処理を実行するステップをさらに含む。
【０１０９】
［構成５］ある局面に従う方法は、上記構成に加えて、移動媒体１００の広告を視認した通行人が使用する情報通信端末（例えば、スマートフォン）から、表示される広告の視聴に基づく視聴情報を受信するステップをさらに含む。推定するステップは、外部情報と走行情報と視聴情報とに基づいて、効果を推定するステップを含む。
【０１１０】
［構成６］ある局面に従う方法は、上記構成に加えて、移動媒体１００のユーザの識別情報と、当該広告によって宣伝された商品またはサービスの利用状況とを保存するステップをさらに含む。決定するステップは、当該移動媒体１００の利用後における商品またはサービスの利用に応じた報酬を決定するステップを含む。
【０１１１】
［構成７］ある局面において、上記構成に加えて、走行情報を取得するステップは、当該移動媒体１００の移動速度を受信するステップを含む。広告を表示するステップは、移動媒体１００の移動速度に応じて広告の表示態様を変更するステップを含む。
【０１１２】
［構成８］ある局面において、上記構成に加えて、外部情報を取得するステップは、移動媒体１００の周辺を撮影することにより映像信号を受信するステップを含む。上記方法は、映像信号を蓄積するステップと、コンピュータに対する要求に基づいて、映像信号を提供するステップと、提供された映像信号の利用状況に応じた対価データを、移動媒体１００のユーザに付与するステップとをさらに含む。
【０１１３】
［構成９］ある局面に従う方法は、上記構成に加えて、広告の効果に基づく割引額を計算するステップと、移動媒体１００の利用料金と割引額とに基づいて、移動媒体１００のユーザに対する請求額を計算するステップと、請求額を移動媒体１００において表示するステップとをさらに含む。
【０１１４】
［構成１０］他の局面に従うと、移動媒体１００を制御するためのプログラムが提供される。このプログラムは移動媒体１００に、移動媒体１００の外部に設けられた表示装置１４０に広告を表示するステップと、移動媒体１００に設けられる外部情報取得装置(例えば、外部情報取得部１３０）から出力される信号に基づいて、移動媒体１００の周辺を表わす外部情報を取得するステップと、移動媒体１００から、当該移動媒体１００の走行情報を取得するステップと、外部情報と走行情報とに基づいて、広告による効果を推定するステップと、予め定められた報酬基準と効果とに基づいて、広告に対する報酬を決定するステップとを実行させる。
【０１１５】
以上、本発明者によってなされた発明を実施の形態に基づき具体的に説明したが、本発明は上記実施の形態に限定されるものではなく、その要旨を逸脱しない範囲で種々変更可能であることはいうまでもない。
【符号の説明】
【０１１６】
１，３０１  ＣＰＵ、２  マウス、３  キーボード、４，２８，３０４  ＲＡＭ、５  ハードディスク、７，３７，３０７  通信インターフェイス、８，３５  モニタ、２３，３９  アンテナ、２４  通信装置、２５  入力スイッチ、２６，１３１  カメラ、２７  フラッシュメモリ、２９  ＲＯＭ、３０  メモリカード駆動装置、３１  メモリカード、３２，１３２  マイク、３３  スピーカ、３４  音声信号処理回路、３８  バイブレータ、４０  モジュール、４１  加速度センサ、４２  地磁気センサ、６０  システム、１００，１４００  移動媒体、１１０  コンピュータ、１１１  周辺状況解析部、１１２  評価部、１１３  報酬決定部、１１４  サービス料金テーブル、１１５  サービス料金決定部、１２０  走行情報取得部、１３０  外部情報取得部、１３３  センサ、１４０  表示装置、１６０  広告主、１７０  サーバ、１７１  コンテンツ、２００  コンピュータ装置、３０５  フラッシュメモリ、１３００  利用者、１４１０  車内表示モニタ。
【図１】
2020004212.tif 000003
【図２】
2020004212.tif 000004
【図３】
2020004212.tif 000005
【図４】
2020004212.tif 000006
【図５】
2020004212.tif 000007
【図６】
2020004212.tif 000008
【図７】
2020004212.tif 000009
【図８】
2020004212.tif 000010
【図９】
2020004212.tif 000011
【図１０】
2020004212.tif 000012
【図１１】
2020004212.tif 000013
【図１２】
2020004212.tif 000014
【図１３】
2020004212.tif 000015
【図１４】
2020004212.tif 000016
【図１５】
2020004212.tif 000017